(57)【要約】【課題】波長分割多重（ＷＤＭ）を行う通信装置の設定に関して、光信号の波長の設定を含む作業の手間を軽減でき、設定ミスを低減または防止できる技術を提供する。【解決手段】ＷＤＭを行う通信装置は、複数の異なる波長が設定されている複数の第１ポートを有するＷＤＭモジュールと、第１ポートとリンクで接続される第２ポートを有するラインカードと、ポート間で伝送する光信号の波長の設定を管理する管理部と、を備える。管理部は、ＷＤＭモジュールがスロットに装着されている状態、かつ、ラインカードがスロットに装着されている状態になった時、ラインカードが装着されているスロットに対し、第１ポートの波長を、所定の関係付けで割り当て、スロットに装着されているラインカードの第２ポートが割り当てた波長と同じ波長を出力するように設定する。【選択図】図１
2017069639.tif 000002
【特許請求の範囲】
【請求項１】
波長分割多重を行う通信装置であって、
モジュールが装着可能である複数のスロットと、
前記波長分割多重を行う合分波部、及び複数の異なる波長が設定されている複数の第１ポートを有するＷＤＭモジュールと、
前記第１ポートとリンクで接続される第２ポートを有するラインカードと、
前記第１ポートと前記第２ポートとの間で伝送する光信号の波長の設定を管理する管理部と、
を備え、
前記管理部は、前記ＷＤＭモジュールが前記スロットに装着されている状態、かつ、前記ラインカードが前記スロットに装着されている状態になった時、前記ラインカードが装着されている前記スロットに対し、前記第１ポートの前記波長を、所定の関係付けで割り当て、前記スロットに装着されている前記ラインカードの前記第２ポートが前記割り当てた波長と同じ波長を出力するように設定する、
通信装置。
【請求項２】
請求項１記載の通信装置において、
前記管理部は、前記ＷＤＭモジュールが前記スロットに装着済みの状態で、前記ラインカードが前記スロットに装着された装着状態になった時、前記ＷＤＭモジュールから取得した情報に基づいて、前記ラインカードが装着状態になった前記スロットに対し、前記波長の割り当てを行い、前記スロットと前記波長との関係付け情報を登録し、前記スロットに装着状態の前記ラインカードに、前記第２ポートの前記波長の情報を書き込む、
通信装置。
【請求項３】
請求項１記載の通信装置において、
前記管理部は、前記ラインカードが前記スロットに装着済みの状態で、前記ＷＤＭモジュールが前記スロットに装着された装着状態になった時、前記ＷＤＭモジュールから取得した情報に基づいて、前記ラインカードが装着されている前記スロットに対し、前記波長の割り当てを行い、前記スロットと前記波長との関係付け情報を登録し、前記スロットに装着されている前記ラインカードに、前記第２ポートの前記波長の情報を書き込む、
通信装置。
【請求項４】
請求項１記載の通信装置において、
前記管理部は、前記ラインカードが装着されている前記スロットのうち、スロット番号の昇順または降順で選択した前記スロットに対し、順次に、前記複数の波長のうち、チャネル番号の昇順または降順、あるいは所定の優先順位で選択した前記波長を割り当てる、
通信装置。
【請求項５】
請求項４記載の通信装置において、
前記管理部は、前記スロットのグループを管理するための情報として前記スロット番号とグループ番号との関係付け情報を設定し、前記ラインカードが装着されている前記スロットのうち、前記グループ番号の昇順または降順、あるいは所定の優先順位で選択した前記グループ毎に、前記スロットに対する前記波長の割り当てを行う、
通信装置。
【請求項６】
請求項４記載の通信装置において、
前記管理部は、前記スロットに装着されている前記ラインカードの転送速度を含む種類を判断し、前記ラインカードが装着されている前記スロットのうち、前記種類毎に、前記スロットに対する前記波長の割り当てを行う、
通信装置。
【請求項７】
請求項４記載の通信装置において、
前記管理部は、前記複数のスロットのうち、特定のスロットについては、特定の波長を使用する固定のスロットとして管理するための情報を設定する、
通信装置。
【請求項８】
請求項１記載の通信装置において、
前記管理部は、前記ＷＤＭモジュールが前記スロットに装着されている状態、かつ、前記ラインカードが前記スロットに装着されている状態になった時、前記ラインカードが装着されている前記スロットに対し、前記装着されている前記ＷＤＭモジュールの前記波長が、割り当て済みでない場合には、前記波長の割り当てを行い、前記ラインカードに前記第２ポートの前記波長の情報を上書きで書き込み、割り当て済みの場合には、前記ラインカードに前記第２ポートの前記割り当て済みの前記波長の情報を上書きで書き込む、
通信装置。
【請求項９】
請求項１記載の通信装置において、
前記管理部は、
前記ＷＤＭモジュールが前記スロットに装着されている状態、かつ、前記ラインカードが前記スロットに装着されている状態になった時、前記ラインカードが装着されている前記スロットに対し、前記装着されている前記ＷＤＭモジュールの前記波長が割り当て済みかに依らずに、新たに前記波長の割り当てを行い、前記スロットと前記波長との関係付け情報を登録し、前記ラインカードに前記第２ポートの前記波長の情報を上書きで書き込み、
前記ＷＤＭモジュールが前記スロットに装着されていない状態になった時、前記ラインカードが装着されている前記スロットについて、前記スロットと前記波長との関係付け情報を削除し、
前記ラインカードが前記スロットに装着されていない状態になった時、前記装着されていない状態になった前記スロットについて、前記スロットと前記波長との関係付け情報を削除する、
通信装置。
【請求項１０】
請求項１記載の通信装置において、
前記管理部は、前記スロットと前記波長との関係付け情報を含む設定状態情報を、前記通信装置に備える表示器、または前記通信装置に接続される管理端末に出力する、
通信装置。
【請求項１１】
請求項１記載の通信装置において、
前記モジュールとして、前記通信装置のＯＡＭを行う管理モジュールを備え、
前記管理モジュールに前記管理部を備える、
通信装置。
【請求項１２】
請求項１記載の通信装置において、
前記ＷＤＭモジュールに前記管理部を備える、
通信装置。
【請求項１３】
波長分割多重を行う通信装置における通信装置設定方法であって、
前記通信装置は、
モジュールが装着可能である複数のスロットと、
前記波長分割多重を行う合分波部、及び複数の異なる波長が設定されている複数の第１ポートを有するＷＤＭモジュールと、
前記第１ポートとリンクで接続される第２ポートを有するラインカードと、
前記第１ポートと前記第２ポートとの間で伝送する光信号の波長の設定を管理する管理部と、
を備え、
前記管理部により、前記ＷＤＭモジュールが前記スロットに装着されている状態、かつ、前記ラインカードが前記スロットに装着されている状態になった時、前記ラインカードが装着されている前記スロットに対し、前記第１ポートの前記波長を、所定の関係付けで割り当て、前記スロットに装着されている前記ラインカードの前記第２ポートが前記割り当てた波長と同じ波長を出力するように設定するステップを有する、
通信装置設定方法。
【発明の詳細な説明】
【技術分野】
【０００１】
本発明は、通信技術に関する。また、本発明は、通信装置の通信ポート等を設定する技術に関する。
【背景技術】
【０００２】
通信システムとして、利用者網と光伝送網とが接続されてネットワークを構成するシステム等がある。その通信システムとして、利用者網に接続されてレイヤ２やレイヤ３の転送を行うスイッチ装置と、光伝送網に接続されて波長分割多重（ＷＤＭ：Wavelength Division Multiplexing）を行う伝送装置とが接続されるシステムがある。この伝送装置は、メディアコンバータとも呼ばれ、利用者網からの電気信号または光信号を、ＷＤＭにより光信号に変換し、光伝送網の光ケーブルに乗せて伝送する。ＷＤＭでは、１本の光ケーブルに、複数の異なる波長の光信号が乗せられる。
【０００３】
通信装置を通信可能な状態にするためには、通信ポート等が適切に設定され、通信ポート間がケーブル等で接続される必要がある。通信装置として、ＷＤＭを行う伝送装置の場合には、通信ポートに関して、波長が異なる複数のチャネルを使用する。チャネルは、特定の波長を持つ光信号を通過させるポートに相当する。
【０００４】
ＷＤＭを行う通信装置における光信号の波長の設定に関する先行技術例としては、特許第５２６８４８５号公報（特許文献１）が挙げられる。特許文献１には、光伝送装置の光波長変換部の波長を自動的に設定でき、作業の省力化や設定ミスの低減を図る旨が記載されている。その光波長変換部は、対向装置へ向けて送信する光信号に関する波長の情報を、変換前の電気信号に含ませる。その光波長変換部は、対向装置から受信した光信号における変換後の電気信号に含まれている波長の情報を抽出する。
【先行技術文献】
【特許文献】
【０００５】
【特許文献１】特許第５２６８４８５号公報
【発明の概要】
【発明が解決しようとする課題】
【０００６】
従来の通信システムでは、ＷＤＭを行う通信装置の設定として、光信号の伝送を行うポートに、ＷＤＭで使用するチャネルの波長を設定し、ポート間を光ケーブルで接続する必要がある。従来、この設定作業は、作業者の手動で行われており、作業者にはスキルが要求される。そのため、従来の設定作業では、作業の手間が大きく、設定ミスも起こりやすい。設定ミスが生じた場合、通信不可能または通信障害の状態が生じる。
【０００７】
特に、いわゆるシャーシ型の伝送装置は、複数のスロットを有し、各スロットに各モジュールが挿抜により装着可能になっている。モジュールは、所定の通信インタフェースに対応したラインカードや、ＷＤＭを行うＷＤＭモジュール等がある。この伝送装置の場合、通信可能な状態にするためには、スロットに装着されたラインカードのポートに、ＷＤＭモジュールのポートで使用するチャネルの波長に合わせた波長が設定される必要がある。設定ミスとして、ラインカードのポートに誤った波長を設定するミスが挙げられる。
【０００８】
本発明の目的は、ＷＤＭを行う通信装置の設定に関して、光信号の波長の設定を含む作業の手間を軽減でき、設定ミスを低減または防止することができる技術を提供することである。
【課題を解決するための手段】
【０００９】
本発明のうち代表的な実施の形態は、通信装置、及び通信装置設定方法であって、以下に示す構成を有することを特徴とする。
【００１０】
一実施の形態の通信装置は、波長分割多重を行う通信装置であって、モジュールが装着可能である複数のスロットと、前記波長分割多重を行う合分波部、及び複数の異なる波長が設定されている複数の第１ポートを有するＷＤＭモジュールと、前記第１ポートとリンクで接続される第２ポートを有するラインカードと、前記第１ポートと前記第２ポートとの間で伝送する光信号の波長の設定を管理する管理部と、を備え、前記管理部は、前記ＷＤＭモジュールが前記スロットに装着されている状態、かつ、前記ラインカードが前記スロットに装着されている状態になった時、前記ラインカードが装着されている前記スロットに対し、前記第１ポートの前記波長を、所定の関係付けで割り当て、前記スロットに装着されている前記ラインカードの前記第２ポートが前記割り当てた波長と同じ波長を出力するように設定する。
【００１１】
一実施の形態の通信装置設定方法は、波長分割多重を行う通信装置における通信装置設定方法であって、前記通信装置は、モジュールが装着可能である複数のスロットと、前記波長分割多重を行う合分波部、及び複数の異なる波長が設定されている複数の第１ポートを有するＷＤＭモジュールと、前記第１ポートとリンクで接続される第２ポートを有するラインカードと、前記第１ポートと前記第２ポートとの間で伝送する光信号の波長の設定を管理する管理部と、を備え、前記管理部により、前記ＷＤＭモジュールが前記スロットに装着されている状態、かつ、前記ラインカードが前記スロットに装着されている状態になった時、前記ラインカードが装着されている前記スロットに対し、前記第１ポートの前記波長を、所定の関係付けで割り当て、前記スロットに装着されている前記ラインカードの前記第２ポートが前記割り当てた波長と同じ波長を出力するように設定するステップを有する。
【発明の効果】
【００１２】
本発明のうち代表的な実施の形態によれば、ＷＤＭを行う通信装置の設定に関して、光信号の波長の設定を含む作業の手間を軽減でき、設定ミスを低減または防止することができる。
【図面の簡単な説明】
【００１３】
【図１】本発明の実施の形態１の通信装置を含む通信システムの構成を示す図である。
【図２】実施の形態１における、ラインカードとＷＤＭモジュールとの接続の構成を示す図である。
【図３】実施の形態１における、第１のシーケンスを示す図である。
【図４】実施の形態１における、第２のシーケンスを示す図である。
【図５】実施の形態１における、第１の設定方式の波長設定例を示す図である。
【図６】実施の形態１における、第２の設定方式の波長設定例を示す図である。
【図７】実施の形態１における、第３の設定方式の波長設定例を示す図である。
【図８】実施の形態１における、第１の解除方式の第１の状況の場合の処理フローを示す図である。
【図９】実施の形態１における、第１の解除方式の第２の状況の場合の処理フローを示す図である。
【図１０】実施の形態１の変形例における、第２の解除方式の場合の処理フローを示す図である。
【図１１】本発明の実施の形態２の通信装置を含む通信システムの構成を示す図である。
【図１２】本発明の実施の形態３の通信装置を含む通信システムの構成を示す図である。
【発明を実施するための形態】
【００１４】
以下、本発明の実施の形態を図面に基づいて詳細に説明する。なお、実施の形態を説明するための全図において同一部には原則として同一符号を付し、その繰り返しの説明は省略する。
【００１５】
（実施の形態１）
図１〜図１０を用いて、本発明の実施の形態１の通信装置及び通信装置設定方法について説明する。実施の形態１の通信装置設定方法は、実施の形態１の通信装置で実行されるステップを有する方法である。
【００１６】
［従来の設定作業］
前述の課題に関して以下に補足する。従来の通信システムでは、ＷＤＭを行うシャーシ型の伝送装置におけるポートの波長の設定に関して、以下のような設定作業を有する。この設定作業は、ラインカードのポートに、ＷＤＭモジュールのポートの波長に合わせた波長を設定する作業を含む。この設定作業は、ラインカードのポートとＷＤＭモジュールのポートとを光ケーブルで接続する作業を含む。
【００１７】
（１）  作業者は、仕様書等に基づいて、伝送装置のＷＤＭモジュールの品種を認識し、その品種から、ＷＤＭモジュールのポートに関するチャネルの波長を認識する。ＷＤＭモジュールは、波長多重に対応する合波を行う合波器（Multiplexer）、及び波長分割に対応する分波を行う分波器（Demultiplexer）を含む部分である合分波部（Multiplexer-Demultiplexer）を有する。合分波部には、複数のポートが接続される。各ポートには、光信号の伝送を行うためのチャネルの波長が設定されている。
【００１８】
（２）  作業者は、伝送装置のスロットに装着されるラインカード毎に、当該ラインカードが接続されるＷＤＭモジュールのチャネルの波長に合わせた波長を設定する。作業者は、ＷＤＭモジュールの仕様書の通りに、上記（１）で認識したチャネルの波長に基づいて、ラインカード毎にポートに波長を設定する。例えば、ＷＤＭモジュールの第１のチャネルのポートと、第１のラインカードの第１のポートとが光ケーブルで接続される場合、第１のラインカードの第１のポートには、第１のチャネルの第１の波長が設定される。ＷＤＭモジュールの第２のチャネルのポートと、第２のラインカードの第２のポートとが光ケーブルで接続される場合、第２のラインカードの第２のポートには、第２のチャネルの第２の波長が設定される。同様に、複数のラインカードの各ポートに、異なる波長が設定される。
【００１９】
ラインカードとＷＤＭモジュールとの光信号の伝送方式を含む、伝送装置の通信方式に応じて、ラインカード及びＷＤＭモジュールのポートに、所定のチャネルが設定される。ある通信方式では、１つのポートにつき、送信チャネルのみ、即ち１つの波長が設定される。別の通信方式では、１つのポートにつき、送信チャネルと受信チャネルとの組、即ち送信波長と受信波長との２つの波長が設定される。例えば、コヒーレント伝送方式の場合には、後者の方式が適用される。
【００２０】
（３）  作業者は、各スロットの波長が設定されたラインカードのポートと、ＷＤＭモジュールのポートとの間を光ケーブルで接続する。その際、作業者は、ラインカードのポートとＷＤＭモジュールとのポート間を、同じ波長同士の対応関係で接続する。
【００２１】
上記（１）〜（３）の作業を正しく行うことにより、伝送装置のラインカードとＷＤＭモジュールとの間で光信号の伝送が可能な状態、即ち通信可能な状態になる。しかしながら、作業者による設定作業の際に、ラインカードのポートの波長の設定ミスや、ラインカードとＷＤＭモジュールとのポート間の光ケーブルの配線ミス等が生じる場合がある。ミスが生じた場合、伝送装置のラインカードとＷＤＭモジュールとの間で光信号の伝送ができない。
【００２２】
前者の設定ミスは、ラインカードのポートに、誤った波長として、接続先のＷＤＭモジュールのポートにおけるチャネルの波長とは異なる波長を設定してしまうミスを含む。例えば、第１のラインカードの第１のポートに、第１の波長ではなく、第２の波長を設定してしまうミスが挙げられる。この場合、第１のラインカードの第１のポートとＷＤＭモジュールの第１のチャネルのポートとが光ケーブルで接続されても、両者の波長が違っているので、伝送ができない。
【００２３】
後者の配線ミスは、ラインカードのポートとＷＤＭモジュールのポートとが、誤った対応関係で接続されてしまうミスを含む。例えば、第１のラインカードの第１の波長が設定された第１のポートが、ＷＤＭモジュールの第２のチャネルのポートに対して接続されてしまうミスが挙げられる。
【００２４】
特に、ラインカードのポートの波長等の設定を行う人と、各モジュールの装着やポート間の光ケーブルの配線等を行う人とが異なる場合もある。その場合、２種類の作業の連係がうまくいかないことによって、上記のような設定ミスや配線ミスがより起こりやすい。また、波長等の設定を行う人と、配線等を行う人とが、別の場所にいて、両者が遠隔で連係して作業を行う場合がある。その場合もミスがより起こりやすい。また、波長等の設定の作業を行う時点と、配線等の作業を行う時点とが、時間的に前後して時間が空く場合がある。その場合もミスがより起こりやすい。
【００２５】
本発明の実施の形態では、上記のような設定作業を容易にでき、ミスを防止できるように、モジュールの波長の設定を自動的に行う仕組みや、設定を含む作業を支援する仕組みを提供する。
【００２６】
［通信システム］
図１は、実施の形態１の通信装置を含む通信システムの構成を示す。この通信システムは、実施の形態１の通信装置１、及び管理端末２を有する。通信装置１は、利用者網４及び光伝送網５と接続されている。通信装置１と管理端末２は、管理用の通信網３で接続されている。通信網３はＩＰ網等である。通信装置１と管理端末２は、通信網３を介さずに直接的に有線接続または無線接続されてもよい。
【００２７】
通信装置１は、ＷＤＭを行う伝送装置である。通信装置１は、管理モジュール１０、ラインカード２０、ＷＤＭモジュール３０、バックプレーン基板４０、スロット５０、及び制御部６０を有する。
【００２８】
通信装置１は、シャーシ型の伝送装置であり、複数のスロット５０を備え、各スロット５０には、モジュールが挿抜により装着可能になっている。スロット５０に装着されたモジュールは、バックプレーン基板４０と電気的に接続され、バックプレーン基板４０の配線を通じて、他のモジュールと接続される。バックプレーン基板４０は、各モジュールを接続するためのコネクタや、コネクタ間の配線を有する。モジュールの装着時、スロット５０に挿入されたモジュールのコネクタは、バックプレーン基板４０のコネクタと接続される。バックプレーン基板４０の配線は、管理モジュール１０が各モジュールの管理を行うための通信用の配線を含む。
【００２９】
スロット５０に装着可能であるモジュールとして、管理モジュール１０、ラインカード２０、ＷＤＭモジュール３０を含む。図１では、複数のスロット５０として、スロットＳＬ１，ＳＬ２，……，ＳＬｘを含む。通信装置１のスロット５０の識別子として、スロット番号を用いる。例えば、スロット番号が１であるスロット５０をスロットＳＬ１で示す。図１では、スロットＳＬ１にラインカード２０が装着されており、スロットＳＬｘにＷＤＭモジュール３０が装着されている。
【００３０】
バックプレーン基板４０には、制御部６０や図示しない電源部等が接続されている。制御部６０は、通信装置１全体を制御する。電源部は各モジュールへ電力を供給する。
【００３１】
管理モジュール１０は、通信装置１内の各部を管理するためのモジュールであり、通信装置１の運用管理保守（ＯＡＭ：Operations, Administration, and Maintenance）を実現するための機能を持つモジュールである。管理モジュール１０は、所定のスロット５０に装着され、バックプレーン基板４０と接続される。管理モジュール１０は、通信網３との通信インタフェースを備える。
【００３２】
管理者が操作する管理端末２は、通信網３を通じて、通信装置１にアクセスし、管理モジュール１０との通信が可能である。これにより、管理者は、遠隔から、通信装置１のＯＡＭに係わる作業を行うことができる。ＯＡＭは、構成管理、状態監視等を含む。
【００３３】
管理モジュール１０は、バックプレーン基板４０の配線を通じて、各スロット５０及びスロット５０に装着されたモジュールの状態の検知や、各モジュールとの管理用の通信が可能である。管理モジュール１０は、スロット５０にモジュールが挿入されて装着された状態や、スロット５０からモジュールが抜かれて非装着になった状態を検知する機能を有する。
【００３４】
管理モジュール１０は、管理部１１、記憶部１２、通信部１３を含む。管理部１１は、ＣＰＵ、ＲＯＭ、ＲＡＭ等を含み、ソフトウェアプログラム処理に基づいて、所定の管理機能を実現する。記憶部１２は、一次記憶装置や二次記憶装置を含み、管理部１１が使用するプログラムやデータを格納する。通信部１３は、通信網３との通信インタフェース、及び通信装置１内のモジュールとの通信インタフェースを備え、通信処理を行う。
【００３５】
ラインカード２０は、利用者網４との通信インタフェース及びＷＤＭモジュール３０との通信インタフェースを備える通信インタフェースモジュールである。通信装置１における所定数までの複数のスロット５０に、所定数までの複数のラインカード２０が装着可能になっている。各ラインカード２０の利用者網４との通信インタフェースは異なっていてもよい。
【００３６】
ラインカード２０の利用者網４との通信インタフェースは、電気信号を伝送する通信インタフェースでもよいし、光信号を伝送する通信インタフェースでもよい。この通信インタフェースとしては、イーサネット（登録商標）が挙げられる。ラインカード２０のＷＤＭモジュール３０との通信インタフェースは、光信号を伝送する通信インタフェースである。この通信インタフェースとしては、イーサネット（登録商標）が挙げられる。ＷＤＭモジュール３０の第１ポートとラインカード２０の第２ポートとのポート間が接続される。
【００３７】
ラインカード２０は、ポート２１、通信部２２、ポート２３を有する。ポート２１は、利用者網４とのリンクに接続される通信ポートである。ポート２３は、第２ポートとして、ＷＤＭモジュール３０とのリンク７１に接続される通信ポートである。ラインカード２０の第２ポートであるポート２３とＷＤＭモジュール３０の第１ポートであるポート３１は、リンク７１として光ケーブルで接続される。ラインカード２０には、ポート２３が、接続先のＷＤＭモジュール３０のポート３１のチャネルの波長に合わせた同じ波長を出力するように設定される。説明上、ＷＤＭモジュール３０側の波長をλ、ラインカード２０側の波長をｗで示す。
【００３８】
ラインカード２０は、図示しない波長可変レーザを備えている。ラインカード２０上の波長可変レーザの波長を設定することによって、出力波長が設定される。ラインカード２０内の図示しないメモリには、ポート２３に設定される波長の情報が書き込まれ、保持される。ラインカード２０は、メモリに書き込まれているポート２３の波長の情報に従って、波長可変レーザからその波長を持つ光を出力するように制御する。
【００３９】
通信部２２は、ポート２１を通じて利用者網４との通信を行い、ポート２３を通じてＷＤＭモジュール３０との通信を行う。通信部２２は、例えばＦＰＧＡ（Field-Programmable Gate Array）により構成される。通信部２２は、利用者網４からの電気信号または光信号をポート２１で受信し、その電気信号または光信号を、ＷＤＭモジュール３０との通信インタフェースに対応した光信号に変換し、その光信号をポート２３から送信する。また、通信部２２は、ＷＤＭモジュール３０からの光信号をポート２３で受信し、その光信号を、利用者網４との通信インタフェースに対応した電気信号または光信号に変換し、その電気信号または光信号をポート２１から送信する。
【００４０】
ＷＤＭモジュール３０は、光伝送網５との通信インタフェース及びラインカード２０との通信インタフェースを備える通信インタフェースモジュールであり、ＷＤＭを行う機能を持つＷＤＭフィルタモジュールである。ＷＤＭモジュール３０の光伝送網５との通信インタフェースは、光信号を伝送する通信インタフェースである。
【００４１】
ＷＤＭモジュール３０は、ポート３１、合分波部３２、ポート３３を有する。ポート３１は、第１ポートとして、ラインカード２０とのリンク７１に接続される。ポート３３は、光伝送網５とのリンクに接続される。ポート３１には、予め、ＷＤＭに対応したチャネルの波長が設定されている。このチャネルは、所定の波長λを持つ光信号を通過させる。
【００４２】
合分波部３２は、波長多重に対応する合波を行う合波器、及び波長分割に対応する分波を行う分波器を含む部分である。合分波部３２には、複数のポート３１、及びポート３３が接続されている。ポート３３は、複数のポートにすることもでき、その場合、光伝送網５に接続される複数の光伝送路を設けることができる。
【００４３】
ラインカード２０のポート２３から送信された波長ｗを持つ光信号は、リンク７１を経由し、ポート３１で受信される。ポート３１で受信した波長λを持つ光信号は、合分波部３２へ転送される。合分波部３２は、各ポート３１からの光信号を合波し、合波後の光信号をポート３３へ転送して、ポート３３から光伝送網５へ送信させる。また、光伝送網５からポート３３で受信した光信号は、合分波部３２へ転送される。合分波部３２は、ポート３３からの光信号を、各々の波長の光信号に分波し、分波後の各波長の光信号を、対応する各ポート３１へ転送して、各ポート３１からラインカード２０へ送信させる。
【００４４】
スロット５０に装着されたラインカード２０は、ＷＤＭモジュール３０と光信号の伝送を含む通信を行うためには、ＷＤＭモジュール３０のポート３１のチャネルの波長λに合わせた波長ｗを持つ光信号を、自身のポート２３で送受信しなければならない。即ち、そのスロット５０のラインカード２０のポート２３には、ポート３１のチャネルの波長λに合わせた波長ｗを出力するように設定しなければならない。
【００４５】
［管理部、設定機能］
実施の形態１の通信装置１では、管理モジュール１０内に管理部１１を有する。管理部１１は、所定の管理機能として、通信装置１内の各モジュールのポートの波長の設定、及びその設定情報の管理を行う機能を有する。特に、管理部１１は、スロット２０に装着されているラインカード２０の波長の設定を自動的に行う設定機能を有する。この設定機能は、ラインカード２０が装着されているスロット５０の単位で、ＷＤＭモジュール２０のチャネルの波長を自動的に設定する機能である。この設定機能は、スロット５０の単位で波長を割り当て、そのスロット５０に装着されているラインカード２０内にその波長を設定する機能である。
【００４６】
管理部１１は、スロット５０にラインカード２０やＷＤＭモジュール３０が装着された場合、その装着の検知に基づいて、そのラインカード２０やＷＤＭモジュール３０が装着されたスロット５０のスロット番号を把握する。管理部１１は、スロット番号やモジュールの装着有無を含むスロット５０の使用状況を管理する。
【００４７】
管理部１１は、スロット５０にラインカード２０が装着されている状態、かつ、スロット５０にＷＤＭモジュール３０が装着されている状態になった場合、当該スロット５０に対する波長の設定を行う。即ち、管理部１１は、ラインカード２０が装着されているスロット５０に、ＷＤＭモジュール３０との通信に使用するチャネルの波長λを割り当てる。管理部１１は、そのスロット５０のラインカード２０のポート２３が、そのチャネルの波長ｗに合わせた波長ｗを出力するように設定する。具体的には、管理部１１は、そのラインカード２０のメモリに、ポート２３の波長ｗの情報を書き込む。管理部１１は、そのスロット５０のスロット番号と、そのスロット５０に対して設定されたチャネルの波長λとの関係付け情報を、記憶部１２内に格納し、保持する。
【００４８】
設定機能は、第１の設定機能及び第２の設定機能を含む。第１の設定機能は、ＷＤＭモジュール３０が装着済みの状態でラインカード２０が装着された第１の状況の時に、自動的にそのスロット５０のラインカード２０に波長を設定する機能である。第２の設定機能は、ラインカード２０が装着済みの状態でＷＤＭモジュール３０が装着された第２の状況の時に、自動的にそのスロット５０のラインカード２０に波長を設定する機能である。
【００４９】
［ラインカードとＷＤＭモジュールとの接続］
図２は、図１のラインカード２０とＷＤＭモジュール３０との接続の構成を示す。通信装置１の複数のスロット５０のうち、スロットＳＬ１〜ＳＬｍには、複数のラインカード２０として、ラインカード２０ａ，２０ｂ，……，２０ｍが装着されている。
【００５０】
なお、図２では、ラインカード２０の識別子であるラインカードＩＤを「ＬＣ１」等で示す。このラインカードＩＤの管理は必須ではない。管理部１１は、スロット５０のスロット番号と、そのスロット５０に装着されたラインカード２０のラインカードＩＤとの関係付け情報を管理してもよい。
【００５１】
スロットＳＬｘに装着されているＷＤＭモジュール３０は、複数のポート３１として、ポート３１−１，３１−２，……，３１−ｎを有する。ＷＤＭモジュール３０の複数のポート３１における複数のチャネルを、ＣＨ１〜ＣＨｎとし、それら複数のチャネルにおける複数の異なる波長を、λ１〜λｎとする。予め、ポート３１−１には、第１のチャネルＣＨ１の第１の波長λ１が設定されている。ポート３１−２には、第２のチャネルＣＨ２の第２の波長λ２が設定されている。ポート３１−ｎには、チャネルＣＨｎの波長λｎが設定されている。
【００５２】
ラインカード２０ａのポート２３ａは、ＷＤＭモジュール３０のポート３１−１と、リンク７１−１で接続されている。ラインカード２０ｂのポート２３ｂは、ＷＤＭモジュール３０のポート３１−２と、リンク７１−２で接続されている。ラインカード２０ｍのポート２３ｍは、ＷＤＭモジュール３０のポート３１−ｎと、リンク７１−ｎで接続されている。
【００５３】
ラインカード２０ａのポート２３ａには、ポート３１−１の波長λ１と同じ波長ｗ１が設定されている。ラインカード２０ｂのポート２３ｂには、ポート３１−２の波長λ２と同じ波長ｗ２が設定されている。ラインカード２０ｍのポート２３ｍには、ポート３１−ｎの波長λｎと同じ波長ｗｍが設定されている。
【００５４】
ＷＤＭモジュール３０は、予め、ＷＤＭモジュール情報２００を有している。ＷＤＭモジュール情報２００には、ＷＤＭモジュール３０の品種ＩＤと、保有チャネル情報とを含む。品種ＩＤは、ＷＤＭモジュール３０の品種を示す。保有チャネル情報は、ＷＤＭモジュール３０の複数のポート３１における複数のチャネルの波長λの情報を含む。仕様書の情報に基づいて、品種ＩＤからは、スロット５０に装着されたＷＤＭモジュール３０を一意に特定可能である。また、品種ＩＤからは、保有チャネル情報を含む詳細情報がわかる。保有チャネル情報には、波長以外の情報として、周波数等が含まれていてもよい。管理部１１は、スロット５０に装着されたＷＤＭモジュール３０から、ＷＤＭモジュール情報２００として、品種ＩＤまたは保有チャネル情報の少なくとも一方を取得する。
【００５５】
保有チャネル情報の一例は以下である。１つのポート３１に１つの送信チャネルのみが設定される通信方式の場合において、チャネルＣＨ１〜ＣＨ４で示す４個のチャネルを有する。第１のチャネルＣＨ１の第１の波長λ１は1530.33nmである。第２のチャネルＣＨ２の第２の波長λ２は1531.90nmである。第３のチャネルＣＨ３の第３の波長λ３は1536.61nmである。第４のチャネルＣＨ４の第４の波長λ４は1540.56nmである。複数の波長λは異なっており、図２の例では、λ１＜λ２＜λ３＜λ４である。
【００５６】
他の通信方式として、１つのポート３１に送信チャネルと受信チャネルとの組が設定される場合には、例えば図２の各チャネルが送信チャネルと受信チャネルとに分けられ、それぞれ異なる波長が設定される。
【００５７】
［第１のシーケンス］
図３は、実施の形態１の通信装置１及び通信装置設定方法における、第１の設定機能及び第１の状況に対応した第１のシーケンスとして、スロット５０にラインカード２０が装着される際の作業及び処理の手順を含むシーケンスを示す。第１の状況として、スロット５０にＷＤＭモジュール３０が装着済みの状態で、そのＷＤＭモジュール３０よりも後に、波長が未設定のラインカード２０がスロット５０に装着される。管理部１１は、第１の状況になった時、そのラインカード２０が装着されたスロット５０を対象に波長を設定する。
【００５８】
第１のシーケンスは、図３及び以下に示すステップＳ０〜Ｓ７を有する。以下、ステップの順に説明する。
【００５９】
（Ｓ０）  前提として、通信装置１のあるスロットＳＬｘに、ＷＤＭモジュール３０が装着済みの状態である。
【００６０】
（Ｓ１）  管理モジュール１０の管理部１１は、予め、ＷＤＭモジュール３０がスロット５０に装着された際に、そのＷＤＭモジュール２０からＷＤＭモジュール情報を読み出して取得し、そのＷＤＭモジュール情報を、記憶部１２の管理情報１４に格納する。管理部１１は、そのＷＤＭモジュール情報から、ＷＤＭモジュール３０の品種ＩＤや保有チャネル情報を把握し、即ち使用可能な複数のチャネルの波長λを把握する。
【００６１】
（Ｓ２）  作業者は、通信装置１における空いている所望のスロット５０に、所望のラインカード２０を装着する。作業者は、例えば、遠隔の管理者からの指示に基づいて、この装着作業を行う。作業者は、例えば、管理者からの指示に基づいて、指定されたスロット５０に、指定されたラインカード２０を装着してもよい。なお、運用上、ラインカード２０を装着するスロット５０の位置が決められている場合、その決められたスロット５０にそのラインカード２０が装着される。
【００６２】
（Ｓ３）  管理モジュール１０の管理部１１は、前述の機能を用いて、Ｓ２のスロット５０にラインカード２０が装着されたことを検知する。管理部１１は、少なくとも、そのラインカード２０が装着されたスロット５０のスロット番号を認識する。
【００６３】
なお、Ｓ１のＷＤＭモジュール情報の読み出しのタイミングについては、Ｓ１のＷＤＭモジュール３０の装着時に限らず、Ｓ３のラインカード２０の装着検知時としてもよい。また、管理部１１は、必要な時にＷＤＭモジュール３０にアクセスしてＷＤＭモジュール情報を参照してもよい。
【００６４】
（Ｓ４）  管理部１１は、Ｓ３のラインカード２０の装着検知に基づいて、そのラインカード２０が装着されたスロット５０に、ＷＤＭモジュール３０のチャネルの波長を所定の関係付けで設定する処理を行う。管理部１１は、Ｓ１で把握した保有チャネル情報に基づいて、スロット番号に、チャネルの波長を割り当てる。管理部１１は、そのスロット番号と波長との関係付けを含む情報を、管理情報１４のうちの設定状態情報１５に登録する。図３の例では、ラインカード２０が装着された、スロット番号が１であるスロットＳＬ１に、ＷＤＭモジュール３０のあるポート３１のチャネルの波長λｘが割り当てられる。
【００６５】
（Ｓ５）  管理部１１は、Ｓ４の波長割り当てを行うと共に、そのスロット５０に装着されたラインカード２０のポート２３に、その割り当てた波長の情報を設定する。具体的には、管理部１１は、バックプレーン基板４０を通じて、そのスロット５０のラインカード２０にアクセスする。管理部１１は、そのラインカード２０内のメモリに、ポート２３に対して割り当てたチャネルの波長の情報を書き込む。なお、このメモリは通信部２２内にあるメモリとしてもよい。図３の例では、スロットＳＬ１のラインカード２０のポート２３に、波長λｘと同じ波長ｗｘが設定される。
【００６６】
そして、管理部１１は、そのラインカード２０の波長が設定されたポート２３に関して、送受信機能を有効な状態にする。具体的には、管理部１１からの指示に従い、ラインカード２０の通信部２２は、そのポート２３を用いた光信号の送受信をオフ状態からオン状態に切り替えるイネーブル動作を行う。なお、管理部１１は、コヒーレント伝送方式等の通信方式の場合、スロット５０及びポート２３に対し、送信チャネルと受信チャネルとの組でそれぞれの波長を同様に設定する。Ｓ５までで基本的な設定は自動的に完了する。
【００６７】
（Ｓ６）  次に、作業者により、スロット５０に装着されたラインカード２０における波長ｗが設定されたポート２３と、ＷＤＭモジュール３０の対応する波長λのポート３１との間のリンク７１が、光ケーブルで接続される。この配線作業は、Ｓ５までの波長設定よりも前に行われていても構わない。
【００６８】
（Ｓ７）  Ｓ５までの波長設定と、Ｓ６の配線とが済んでいる場合、そのラインカード２０は、ＷＤＭモジュール３０との通信が可能な状態になっている。ラインカード２０の通信部２２は、波長ｗが設定されたポート２３と、ＷＤＭモジュール３０のポート３１との間で通信を行う際、設定された波長ｗを持つ光信号を生成する。
【００６９】
複数のスロット５０に複数のラインカード２０が装着された場合も上記と同様である。管理部１１は、保有チャネル情報に基づいて、それらの複数のラインカード２０の複数のスロット５０に対し、所定の関係付けで、それぞれ異なる波長を設定する。
【００７０】
［第２のシーケンス］
図４は、実施の形態１の通信装置１及び通信装置設定方法における、第２の設定機能に対応した第２のシーケンスとして、スロット５０にＷＤＭモジュール３０が装着される際の作業及び処理の手順を含むシーケンスを示す。第２の状況として、スロット５０に波長が未設定のラインカード２０が装着済みの状態で、そのラインカード２０よりも後にＷＤＭモジュール３０が装着される。管理部１１は、第２の状況になった時に、そのラインカード２０が装着状態のスロット５０を対象に波長を設定する。
【００７１】
第２のシーケンスは、図４及び以下に示すステップＳ１０〜Ｓ１７を有する。以下、ステップの順に説明する。
【００７２】
（Ｓ１０）  前提として、通信装置１のスロット５０にラインカード２０が装着済みの状態である。例えば、スロットＳＬ１に、波長が未設定のラインカード２０が装着されている。
【００７３】
なお、管理部１１は、スロット５０にラインカード２０が装着された際に、予め、そのラインカード２０から、ラインカード情報を読み出して取得し、管理情報１４に格納してもよい。ラインカード情報としては、品種ＩＤやラインカードＩＤ、後述の転送速度等が挙げられる。管理部１１は、ラインカード情報及び仕様書の情報に基づいて、そのラインカード２０の品種や通信インタフェース、転送速度等を把握する。また、管理部１１は、必要な時に、バックプレーン基板４０を通じて、スロット５０のラインカード２０にアクセスし、ラインカード情報を読み出してもよい。
【００７４】
（Ｓ１１）  作業者は、通信装置１における空いている所望のスロット５０に、所望のＷＤＭモジュール３０を装着する。なお、運用上、ＷＤＭモジュール３０を装着するスロット５０の位置が決められている場合には、その決められたスロット５０にＷＤＭモジュール３０が装着される。図４の例では、スロットＳＬｘにＷＤＭモジュール３０が装着される。
【００７５】
（Ｓ１２）  管理モジュール１０の管理部１１は、前述の機能を用いて、Ｓ１１のスロット５０にＷＤＭモジュール３０が装着されたことを検知する。
【００７６】
（Ｓ１３）  管理部１１は、Ｓ１２のＷＤＭモジュール３０の装着検知に基づいて、そのＷＤＭモジュール３０から、ＷＤＭモジュール情報を読み出して取得し、そのＷＤＭモジュール情報を、管理情報１４に格納する。管理部１１は、ＷＤＭモジュール情報から、スロット５０に装着されたＷＤＭモジュール３０の品種ＩＤや保有チャネル情報を把握する。即ち、管理部１１は、そのＷＤＭモジュール３０の使用可能な複数のチャネルの波長λを把握する。
【００７７】
（Ｓ１４）  管理部１１は、Ｓ１２の時点でラインカード２０が装着済みのスロット５０を対象として、Ｓ１３で把握したＷＤＭモジュール３０のチャネルの波長を、所定の関係付けで割り当てる。管理部１１は、スロット番号と波長との関係付け情報を、管理情報１４のうちの設定状態情報１５に登録する。図４の例では、スロット番号が１のスロットＳＬ１に、ＷＤＭモジュール３０のあるポート３１のチャネルの波長λｘが割り当てられる。
【００７８】
（Ｓ１５）  管理部１１は、Ｓ１４の波長割り当てを行うと共に、そのスロット５０のラインカード２０に、その割り当てた波長の情報を設定する。具体的には、管理部１１は、バックプレーン基板４０を通じて、そのスロット５０のラインカード２０にアクセスする。管理部１１は、そのラインカード２０内のメモリに、そのポート２３に対して割り当てた波長の情報を書き込む。
【００７９】
そして、管理部１１は、そのラインカード２０の波長が設定されたポート２３に関して、送受信機能を有効な状態にする。Ｓ１５までで基本的な設定は自動的に完了する。
【００８０】
（Ｓ１６）  次に、作業者により、スロット５０に装着済みのラインカード２０における波長が設定されたポート２３と、装着されたＷＤＭモジュール３０の対応する波長のポート３１との間のリンク７１が、光ケーブルで接続される。この配線作業は、Ｓ１５までの波長設定よりも前に行われていても構わない。
【００８１】
（Ｓ１７）  Ｓ１５までの波長設定と、Ｓ１６の配線とが済んでいる場合、そのラインカード２０は、ＷＤＭモジュール３０との通信が可能な状態になっている。ラインカード２０の通信部２２は、波長ｗが設定されたポート２３と、ＷＤＭモジュール３０のポート３１との間で通信を行う際、設定された波長ｗを持つ光信号を生成する。
【００８２】
ＷＤＭモジュール３０の装着時に、複数のスロット５０に複数のラインカード２０が装着済みである場合も上記と同様である。管理部１１は、それらの複数のスロット５０のラインカード２０について、所定の関係付けで、それぞれ異なる波長を設定する。
【００８３】
［設定方式］
次に、実施の形態１の管理部１１を用いた設定機能において、複数のスロット５０及び複数のラインカード２０に対し、ＷＤＭモジュール３０の複数の異なる波長を所定の関係付けで自動的に設定する設定方式について説明する。管理部１１は、第１の状況または第２の状況の時に、対象の複数のスロット５０に対し、複数の異なる波長を割り当てる。
【００８４】
この設定方式として、以下に示す第１の設定方式、第２の設定方式、等がある。実施の形態１の管理部１１は、これらの設定方式のうち、１つの設定方式を使用する。この設定方式は、予め、通信装置１の管理部１１に実装される。あるいは、変形例として、この設定方式は、ユーザ設定機能により、複数の設定方式から使用する１つの設定方式を選択可能とする。例えば、管理者は、管理端末２から通信装置１の管理モジュール１０にアクセスし、ユーザ設定機能を用いて、管理部１１に、使用する設定方式を設定可能である。
【００８５】
以下の設定方式は、第１の状況に対応した第１の設定機能、及び第２の状況に対応した第２の設定機能、のいずれでも同様に適用可能である。
【００８６】
［第１の設定方式］
第１の設定方式は以下である。管理部１１は、ＷＤＭモジュール３０が装着されている通信装置１の筐体内の複数のスロット５０において、ラインカード２０が装着されている全てのスロット５０を対象として、所定の関係付けで、波長を割り当てる。管理部１１は、波長が未割り当てであるスロット５０を対象として、ＷＤＭモジュール３０の使用可能な複数のチャネルの波長から選択した波長を割り当てる。管理部１１は、所定の関係付けとして、スロット番号の昇順または降順に選択したスロット５０に、チャネルの波長を順次に割り当てる。また、管理部１１は、所定の関係付けとして、スロット５０に対し、チャネル番号の昇順または降順に選択したチャネルの波長、あるいは所定の優先順序で選択したチャネルの波長を順次に割り当てる。
【００８７】
図５は、第１の設定方式に従う波長設定例を示す。本例では、通信装置１のラインカード２０が装着可能である複数のスロット５０として、スロット番号＝１〜８に対応する８個のスロット５０であるスロットＳＬ１〜ＳＬ８がある。例えば、通信装置１の筐体の一側面において、左端または右端から順に、スロット番号＝１〜８のスロット５０が設けられている。本例では、スロット番号が１，２，４，６である４個のスロット５０に、ラインカード２０が装着されている。そのラインカード２０として、ラインカード２０ａ，２０ｂ，２０ｃ，２０ｄを有する。本例では、スロットＳＬｘに装着されたＷＤＭモジュール３０の複数のポート３１における使用可能なチャネル波長として、図２のチャネルＣＨ１〜ＣＨ４及びその波長λ１〜λ４がある。チャネルＣＨ１〜ＣＨ４のチャネル番号を１〜４とする。波長に対応するチャネルを識別するチャネル番号として、λ１〜λ４の順序に対応して、チャネル番号が１〜４として設定されている。
【００８８】
本例では、管理部１１は、スロット番号の昇順で参照したスロット５０に波長を割り当て、また、スロット５０に対し、チャネル番号の昇順で参照したチャネルの波長を割り当てる。管理部１１は、ラインカード２０が装着されている複数のスロット５０について、スロット番号の昇順に参照してゆき、また、ＷＤＭモジュール３０の複数のポート３１について、チャネル番号の昇順に参照してゆく。
【００８９】
管理部１１は、まず、ラインカード２０ａが装着されているスロット番号＝１のスロットＳＬ１を参照する。管理部１１は、そのスロットＳＬ１に、ＷＤＭモジュール３０のポート３１−１の第１のチャネルＣＨ１の第１の波長λ１を割り当てる。管理部１１は、そのスロットＳＬ１に装着されているラインカード２０ａのポート２３ａに、第１の波長λ１と同じ波長ｗ１を設定する。
【００９０】
次に、管理部１１は、ラインカード２０ｂが装着されているスロット番号＝２のスロットＳＬ２を参照する。管理部１１は、そのスロットＳＬ２に、ＷＤＭモジュール３０のポート３１−２の第２のチャネルＣＨ２の第２の波長λ２を割り当てる。管理部１１は、そのスロットＳｌ２に装着されているラインカード２０ｂのポート２３ｂに、第２の波長λ２と同じ波長ｗ２を設定する。
【００９１】
以下同様であるが、次に、管理部１１は、ラインカード２０ｃが装着されているスロット番号＝４のスロットＳＬ４に、ＷＤＭモジュール３０のポート３１−３の第３のチャネルＣＨ３の波長λ３を割り当てる。管理部１１は、そのラインカード２０ｃのポート２３ｃに、第３の波長λ３と同じ波長ｗ３を設定する。次に、管理部１１は、ラインカード２０ｄが装着されているスロット番号＝６のスロットＳＬ６に、ＷＤＭモジュール３０のポート３１−４の第４のチャネルＣＨ４の波長λ４を割り当てる。管理部１１は、そのラインカード２０ｄのポート２３ｄに、第４の波長λ４と同じ波長ｗ４を設定する。
【００９２】
上記波長割り当てに基づいて、管理部１１は、図示するように、管理情報１４のうちの設定状態情報１５に、スロット番号と波長との関係付け情報を登録する。なお、変形例として、管理部１１は、管理情報１４に、スロット番号とラインカードＩＤと波長との関係付け情報を管理してもよい。
【００９３】
本例は、ＷＤＭモジュール３０の全チャネルが使用可能な状態として空いている場合の例である。使用済みのチャネルがある場合、それを除いた使用可能なチャネルを用いて、同様に波長割り当てが行われる。
【００９４】
第１の設定方式において、スロット５０に対し、所定の優先順序で選択したチャネルの波長を割り当てる場合については、以下が挙げられる。優先順序の例として、スロット５０に装着されたラインカード２０の通信インタフェースになるべく適した波長を選択することが挙げられる。例えば、あるラインカード２０の通信インタフェースでは、光信号の波長を小さくした方がより好ましいとする。その場合、管理部１１は、使用可能な複数のチャネルの波長のうち、なるべく小さい波長を選択して割り当てる。
【００９５】
第１の設定方式は、例えば、１台の通信装置１としてＷＤＭを行う伝送装置を用いて、光伝送網５への１本のＷＤＭ回線を構築及び運用する場合等に、効果的に適用可能であり、簡便な構築及び運用を実現できる方式である。例えば、ある運用では、作業者は、筐体の複数のスロット５０に、端から順にラインカード２０を装着すればよい。これにより、スロット番号との対応関係で自動的にラインカード２０に波長が設定される。
【００９６】
［第２の設定方式］
第２の設定方式は以下である。第２の設定方式では、スロット５０のグループの概念を用いて、グループ毎に波長を設定する。管理部１１は、スロット５０のグループを順に参照し、グループ毎に、所定の関係付けで、ＷＤＭモジュール３０の複数の異なる波長を割り当てる。管理部１１は、グループ毎に、そのスロット５０に対し、例えば第１の設定方式、あるいは後述の第３の設定方式等を適用して、順次に波長を割り当てる。
【００９７】
予め、１台または複数台の通信装置１における複数のスロット５０が、複数のグループに分類されている。管理者は、予め、そのグループを設定し、管理モジュール１０は、そのグループを情報として管理する。例えば、管理部１１は、グループ番号とスロット番号との関係付けを含む情報を管理情報１４に格納する。
【００９８】
スロット５０のグループの設定は、任意で各種が可能であるが、一例として、ラインカード２０の品種、例えば転送速度の違いによって、異なるグループに分類される。例えば、１台の通信装置１内の複数のスロット５０において、転送速度が異なる２種類のラインカード２０が装着される。１つ以上のスロット５０に、第１の転送速度を持つ第１の種類のラインカード２０が装着され、別の１つ以上のスロット５０に、第２の転送速度を持つ第２の種類のラインカードが装着される。管理部１１は、第１の種類のラインカード２０が装着されるスロット５０を第１のグループとし、第２の種類のラインカード２０が装着されるスロット５０を第２のグループとして設定する。
【００９９】
また、グループに関連する設定として、グループ毎に、光伝送網５における異なる光伝送路を用いるように、設定可能である。光伝送路は、ポート３３に接続されるリンクが対応する。例えば、ＷＤＭモジュール３０の複数のポート３３において、第１のポートは第１の光伝送路に接続され、第２のポートは第２の光伝送路に接続される。第１のグループに属するラインカード２０は、その第１のポートを用い、第２のグループに属するラインカード２０は、その第２のポートを用いる。ポート３３における第１のポートをポート＃１で示し、第２のポートをポート＃２で示す。それらのポート番号を＃１，＃２とする。
【０１００】
図６は、第２の設定方式に従う波長設定例を示す。通信装置１の８個のスロット５０として、スロット番号＝１〜８のスロットＳＬ１〜ＳＬ８がある。第１のグループＧ１に属する、スロット番号＝１〜４の４個のスロット５０がある。第２のグループＧ２に属する、スロット番号＝５〜８の４個のスロット５０がある。第１のグループＧ１はグループ番号が１、第２のグループＧ２はグループ番号が２とする。スロット番号が１，２，５である各スロット５０には、ラインカード２０が装着されている。そのラインカード２０として、ラインカード２０ａ，２０ｂ，２０ｃを有する。ＷＤＭモジュール３０のポート３１における使用可能なチャネル波長として、４個のチャネルＣＨ１〜ＣＨ４及びその波長λ１〜λ４がある。
【０１０１】
管理部１１は、第１の状況または第２の状況の時に、例えばグループ番号順に、または所定の優先順位で、複数のグループを参照する。管理部１１は、複数のグループに、優先順位を付けて、優先順位が高いグループから先に参照して、波長を設定してもよい。
【０１０２】
管理部１１は、参照したグループ毎に、例えば第１の設定方式を適用する。即ち、管理部１１は、グループのスロット５０に対し、スロット番号の昇順で、及びチャネル番号の昇順で、関係付けて波長を割り当てる。
【０１０３】
本例では、管理部１１は、まず、第１のグループＧ１を参照する。第１のグループＧ１内で、スロット番号が１のスロットＳＬ１にはラインカード２０ａ、スロット番号が２のスロットＳＬ２にはラインカード２０ｂが装着されている。管理部１１は、第１のグループＧ１内で、スロット番号の昇順でスロット５０を選択し、チャネル番号の昇順で波長を選択する。スロット番号＝１には、第１のチャネルＣＨ１の第１の波長λ１が割り当てられ、ラインカード２０ａのポート２３ａには、第１の波長λ１と同じ波長ｗ１が設定される。スロット番号＝２には、第２のチャネルＣＨ２の第２の波長λ２が割り当てられ、ラインカード２０ｂのポート２３ｂには、第２の波長λ２と同じ波長ｗ２が設定される。
【０１０４】
次に、管理部１１は、第２のグループＧ２を参照する。第２のグループＧ２内で、スロット番号が５のスロットＳＬ５にはラインカード２０ｃが装着されている。管理部１１は、同様に、第２のグループＧ２内で、波長を割り当てる。スロット番号＝５には、第３のチャネルＣＨ３の第３の波長λ３が割り当てられ、ラインカード２０ｃのポート２３ｃには、第３の波長λ３と同じ波長ｗ３が設定される。
【０１０５】
管理部１１は、図示するように、管理情報１４における設定状態情報１５に、グループ番号とスロット番号と波長との関係付け情報を格納する。また、本例では、グループ毎に異なる光伝送路を使用するように、異なるポート３３が設定されている。管理部１１は、例えば、設定状態情報１５に、グループ番号と、光伝送路に接続されるポート３３のポート番号との関係付け情報を格納する。
【０１０６】
第２の設定方式は、通信装置１として１台または複数台の伝送装置を用いて複数のＷＤＭ回線を構築及び運用する場合や、複数のＷＤＭ回線を用途で使い分ける場合等に、効果的に適用可能である。
【０１０７】
［第３の設定方式］
第３の設定方式は以下である。第３の設定方式では、スロット５０に装着されているラインカード２０の種類に応じて、種類毎に、スロット５０に対し、所定の関係付けで、波長を割り当てる。また、第３の設定方式では、ラインカード２０の種類に応じて、所定の優先順位で選択した波長を割り当てる。管理部１１は、ラインカード２０の種類、例えば転送速度の違いに応じて、波長を割り当てる。なお、ラインカード２０の種類毎に、第２の設定方式と同様にグループが設定されてもよい。
【０１０８】
本例では、管理部１１は、種類が異なるラインカード２０が装着されているスロット５０に対し、所定の優先順位として、設定される波長がなるべく分離されるように、割り当てる波長を選択する。種類に応じて、設定される波長の大きさを離すことにより、ＷＤＭの光伝送路において、異なる波長が多重された状態で伝送される光信号を、より安定にすることができ、伝送品質を高めることができる。
【０１０９】
図７は、第３の設定方式に従う波長設定例を示す。通信装置１におけるスロット番号＝１，２，５のスロット５０に、ラインカード２０が装着されている。そのラインカード２０として、ラインカード２０ａ,２０ｂ，２０ｃを有する。第１の種類のラインカード２０として、スロット番号＝１のスロットＳＬ１に装着されているラインカード２０ａ、及びスロット番号＝２のスロットＳＬ２に装着されているラインカード２０ｂがある。第１の種類のラインカード２０は、通信インタフェースの転送速度が１０Ｇｂｐｓである。また、第２の種類のラインカード２０として、スロット番号＝５のスロットＳＬ５に装着されているラインカード２０ｃがある。第２の種類のラインカード２０は、通信インタフェースの転送速度が１００Ｇｂｐｓである。
【０１１０】
本例では、管理部１１は、第１の種類のラインカード２０が装着されているスロット５０を第１のグループＧ１とし、第２の種類のラインカード２０が装着されているスロット５０を第２のグループＧ２として設定する。
【０１１１】
また、ＷＤＭモジュール３０のポート３１における使用可能なチャネル波長として、８個のチャネルＣＨ１〜ＣＨ８及びその波長λ１〜λ８がある。波長の大きさの関係は、λ１＜λ２＜……＜λ７＜λ８である。
【０１１２】
管理部１１は、ラインカード２０が装着されている複数のスロット５０を対象として、ラインカード２０の種類またはグループの判断を行い、また、所定の優先順位の判断に基づいて、スロット５０に割り当てる波長を決定する。管理部１１は、所定の優先順位として、ラインカード２０の転送速度の大小に応じて、割り当てる波長をなるべく分離する。管理部１１は、使用可能な複数のチャネルから、転送速度が１０Ｇｂｐｓである第１のグループＧ１のスロット５０と、転送速度が１００Ｇｂｐｓである第２のグループＧ２のスロット５０とで、なるべく離れる波長を選択する。
【０１１３】
転送速度の差が大きいほど、波長を離す必要がある。即ち、転送速度の差が大きいほど、離れた波長に設定すると、より望ましい。管理部１１は、転送速度の差を判断し、その転送速度の差の大きさに応じて、波長の差を持つように、離れた波長を選択するようにしてもよい。これにより、伝送品質をより高めることができる。
【０１１４】
管理部１１は、第１の種類のラインカード２０が装着されている第１のグループＧ１の複数のスロット５０に対し、第１の関係付けで、例えば波長が大きくなる順で、複数の波長を割り当てる。管理部１１は、第２の種類のラインカード２０が装着されている第２のグループＧ２の複数のスロット５０に対し、第２の関係付けで、例えば波長が小さくなる順で、複数の波長を割り当てる。
【０１１５】
本例では、管理部１１は、ラインカード２０が装着されているスロット５０を参照し、第１のグループＧ１のスロット５０と第２のグループＧ２のスロット５０とがあることを把握する。管理部１１は、まず、例えば第１のグループＧ１に属するスロットＳＬ１，ＳＬ２を参照する。管理部１１は、それらのスロット５０から、例えばスロット番号の昇順で選択する。そして、管理部１１は、スロット５０に対し、ＷＤＭモジュール３０の複数のチャネルの波長を、波長が大きくなる順で選択して割り当てる。具体的には、スロット番号＝１のスロットＳＬ１に、第１のチャネルＣＨ１の第１の波長λ１が割り当てられ、ラインカード２０ａのポート２３ａには、第１の波長λ１と同じ波長ｗ１が設定される。スロット番号＝２のスロットＳＬ２に、第２のチャネルＣＨ２の第２の波長λ２が割り当てられ、ラインカード２０ｂのポート２３ｂには、第２の波長λ２と同じ波長ｗ２が設定される。
【０１１６】
一方、管理部１１は、第２のグループＧ２に属するスロット番号＝５のスロットＳＬ５についても参照する。管理部１１は、そのスロットＳＬ５に対し、ＷＤＭモジュール３０のチャネルの波長を、第１のグループＧ１の波長の割り当ての順とは逆に、波長が小さくなる順で選択して割り当てる。即ち、管理部１１は、第１のグループＧ１に割り当てるチャネルＣＨ１，ＣＨ２の波長λ１，λ２に対して、なるべく離れた波長として、第８のチャネルＣＨ８の第８の波長λ８を選択して割り当てる。具体的には、スロット番号＝５のスロットＳＬ５に、第８の波長λ８が割り当てられ、ラインカード２０ｃのポート２３ｃには、第８の波長λ８と同じ波長ｗ８が設定される。これにより、種類が異なるラインカード２０が装着されたスロット５０間において、波長が分離される。
【０１１７】
管理部１１は、図示するように、管理情報１４における設定状態情報１５に、スロット番号と波長との関係付け情報を格納する。また、管理部１１は、設定状態情報１５に、転送速度またはグループ番号とスロット番号との関係付け情報を格納してもよい。
【０１１８】
第３の設定方式は、通信装置１として１台または複数台の伝送装置を用いて、複数の転送速度が混在する通信システムを構築及び運用する場合等に、効果的に適用可能である。
【０１１９】
第３の設定方式では、前述のように、ラインカード２０の種類に所定の優先順位を付けてもよい。例えば、管理部１１は、スロット５０にラインカード２０が装着されたことを検知し、そのラインカード２０の転送速度を含むラインカード情報を参照する。管理部１１は、転送速度の把握に基づいて、転送速度が大きい順または小さい順で、優先順位を付ける。管理部１１は、波長設定の際、その優先順位に従ってスロット５０を参照し、そのスロット５０から先に波長を割り当てる。例えば、転送速度が小さい方の第１のグループＧ１から先に波長が割り当てられる。
【０１２０】
［第４の設定方式］
第４の設定方式は以下である。第４の設定方式では、予め管理者によるユーザ設定に基づいて、通信装置１の複数のスロット５０のうち、特定のスロット５０については、特定の波長を使用するように固定される。即ち、特定のスロット５０に装着されるラインカード２０については、設定される波長が固定される。第４の設定方式では、その特定のスロット５０及び波長については、自動的な設定に関する対象外とし、それ以外のスロット５０及び波長を対象として、第１の設定方式等を同様に適用する。言い換えると、特定のスロット及び波長については、固定的な割り当ての対象として予約される。管理部１１は、固定のスロット５０及び波長の設定情報を、管理情報１４に格納して管理する。
【０１２１】
例えば、通信装置１にスロット番号＝１〜８の８個のスロット５０がある。それらのうちスロット番号＝１，２のスロットＳＬ１，ＳＬ２は、予め、特定のスロット５０として設定され、特定のラインカード２０が装着される。その特定のスロット５０に装着されたラインカード２０には、ＷＤＭモジュール３０の複数のチャネルの波長のうち、特定の波長として例えば波長λ１，λ２が使用されるように、予め設定される。
【０１２２】
管理部１１は、第１の状況または第２の状況になった時、固定のスロット５０及び波長を除く、対象のスロット５０及び波長を把握する。管理部１１は、ラインカード２０が装着されている対象の１つ以上のスロット５０に対し、第１の設定方式等を適用して、所定の関係付けで波長を割り当てる。例えば、スロット番号＝３〜８のスロットＳＬ３〜ＳＬ８を対象に、使用可能なチャネルＣＨ３〜ＣＨ８の波長λ３〜λ８から選択された波長が割り当てられる。
【０１２３】
第４の設定方式により、柔軟に通信システムの構築及び運用が可能である。例えば、既存の光伝送路の設定を固定として確保したまま、それと並列の形で新たな光伝送路の構築及び運用が可能である。
【０１２４】
［波長設定の解除方式］
次に、実施の形態１で、波長が設定されたスロット５０のラインカード２０が抜かれて非装着状態になった場合に、そのスロット５０及びラインカード２０に関する波長設定を解除する方式について説明する。この波長設定の解除を制御する方式を、説明上、解除方式とする。解除方式として、以下に示す第１の解除方式、第２の解除方式がある。実施の形態１では、第１の解除方式を採用する。実施の形態１の変形例では、第２の解除方式を採用する。
【０１２５】
［第１の解除方式（第１の状況の場合）］
第１の解除方式は以下である。管理部１１は、ラインカード２０が抜かれて非装着状態になったスロット５０及びそのラインカード２０のポート２３に設定されている波長について、当該波長設定を解除せずにそのまま維持する。管理部１１は、一旦設定した波長をなるべく維持するように制御する。
【０１２６】
図８は、第１の解除方式における、第１の状況の場合の処理フローを示す。この処理フローは、前提である波長設定のステップを含め、ステップS101〜S107を有する。以下、ステップの順に説明する。
【０１２７】
（S101）  管理部１１は、ＷＤＭモジュール３０の装着済みの状態で、スロット５０にラインカード２０が装着されたことを検知する。
【０１２８】
（S102）  管理部１１は、S101のラインカード２０が装着されたスロット５０に、既に割り当てられている波長があるかどうかを確認する。言い換えると、管理部１１は、その装着されたラインカード２０に、既に波長が設定されているかどうかを確認する。管理部１１は、管理情報１４の参照によりこの確認を行う。管理部１１は、設定状態情報１５におけるスロット番号と波長との関係付け情報を確認する。管理情報１４に、該当するスロット番号と波長との関係付け情報がある場合には、波長が設定済みであることを示し、無い場合には、設定済みでないことを示す。
【０１２９】
（S103）  管理部１１は、ラインカード２０が装着されたスロット５０に、波長が割り当てられていない場合（S102-N）には、そのスロット５０に、新たに波長の割り当てを行う。管理部１１は、そのスロット５０を対象に、前述の第１の設定方式等と同様に、波長を割り当て、そのラインカード２０のポート２３に波長を設定する。即ち、管理部１１は、管理情報１４に、スロット番号と波長との関係付け情報を登録し、そのラインカード２０のメモリに、ポート２３に割り当てる波長の情報を上書きで書き込む。
【０１３０】
（S104）  管理部１１は、ラインカード２０が装着されたスロット５０に、既に波長が割り当てられている場合（S102-Y）には、そのスロット５０の波長設定を維持する。この場合、そのスロット５０には、過去のラインカード２０の装着時に波長が割り当て済みであることを示し、新たな割り当ては不要である。管理部１１は、管理情報１４におけるスロット番号と波長との関係付け情報をそのまま維持する。
【０１３１】
ただし、そのスロット５０に装着されたラインカード２０は、過去に装着されたラインカード２０と同じとは限らない。そのスロット５０に装着されたラインカード２０が、過去に装着されたラインカード２０と同じである場合には、そのラインカード２０のポート２３には既に波長が設定済みである。異なる場合には、そのラインカード２０のポート２３には、波長が未設定であるか、そのスロット５０に割り当て済みの波長とは異なる波長が設定済みである。よって、管理部１１は、そのスロット５０に装着されたラインカード２０に、割り当てを維持するポート２３の波長の情報を上書きで書き込む。これにより、そのスロット５０に、過去に装着されたラインカード２０とは異なるラインカード２０が装着された場合でも、スロット５０の単位で波長設定が維持される。
【０１３２】
なお、管理部１１は、装着検知や管理情報１４に基づいて、装着されたラインカード２０が、過去に装着されたラインカード２０と同じであることがわかる場合には、上記の上書き動作を省略してもよい。
【０１３３】
（S105）  管理部１１は、S103またはS104の後、そのスロット５０のラインカード２０のポート２３における設定済みの波長を用いた送受信機能を有効の状態にする。
【０１３４】
（S106）  その後、管理部１１は、スロット５０からラインカード２０が抜かれて非装着状態になった場合には、そのことを検知する。
【０１３５】
（S107）  管理部１１は、S106の非装着状態になったスロット５０及びそのラインカード２０について、波長設定を維持する。即ち、管理部１１は、管理情報１４の設定状態情報１５におけるスロット番号と波長との関係付け情報をそのまま維持する。なお、抜かれたラインカード２０内には波長情報が書き込まれたままとなる。S107の後はS101から同様に繰り返しである。その後、その抜かれたラインカード２０が、再度、スロット５０に装着された場合には、S104で波長設定が維持されることになる。なお、S104やS107の関係付け情報の維持は、後述の関係付け情報の削除との対比で示しており、例えばS107では管理部１１は何の処理も行わなくてよい。
【０１３６】
［第１の解除方式（第２の状況の場合）］
図９は、第１の解除方式における、第２の状況の場合の処理フローを示す。この処理フローは、前提である波長設定のステップを含め、ステップS111〜S119を有する。以下、ステップの順に説明する。
【０１３７】
（S111）  管理部１１は、ラインカード２０が装着済みの状態で、スロット５０にＷＤＭモジュール３０が装着されたことを検知する。管理部１１は、そのＷＤＭモジュール３０からＷＤＭモジュール情報を取得し、保有チャネル情報等を把握する。管理部１１は、ＷＤＭモジュール３０が装着された時点で、ラインカード２０が装着状態である１つ以上のスロット５０のスロット番号等を把握する。
【０１３８】
（S112）  管理部１１は、ラインカード２０が装着状態のスロット５０について、装着されたＷＤＭモジュール３０の使用可能なチャネルの範囲内で、既に波長が割り当てられているかどうかを、管理情報１４の参照により確認する。例えば、スロット番号＝１のスロットＳＬ１には、第１の波長λ１が割り当てられており、スロット番号＝２のスロットＳＬ２には、波長が割り当てられていない。
【０１３９】
（S113）  管理部１１は、ラインカード２０が装着状態のスロット５０のうち、波長が割り当てられていないスロット５０の場合（S112-N）、そのスロット５０については、新たに波長を割り当てる。管理部１１は、管理情報１４に、スロット番号と波長との関係付け情報を登録し、そのラインカード２０のメモリに、ポート２３に新たに割り当てる波長の情報を上書きで書き込む。例えば、スロット番号＝２のスロットＳＬ２に、第２の波長λ２が割り当てられる。
【０１４０】
（S114）  管理部１１は、ラインカード２０が装着状態のスロット５０のうち、既に波長が割り当てられているスロット５０の場合（S112-Y）において、そのスロット５０に割り当てられている波長が、S111で装着されたＷＤＭモジュール３０のチャネル波長の範囲内の波長であるかを確認する。
【０１４１】
（S115）  管理部１１は、スロット５０に割り当てられている波長が、S111で装着されたＷＤＭモジュール３０のチャネル波長の範囲内の波長である場合（S114-Y）には、そのままその波長設定を維持する。即ち、管理情報１４のスロット番号と波長との関係付け情報がそのまま維持される。
【０１４２】
（S116）  管理部１１は、スロット５０に割り当てられている波長が、S111で装着されたＷＤＭモジュール３０のチャネル波長の範囲外の波長である場合（S114-N）には、新たに割り当てを行う。この場合は、装着されたＷＤＭモジュール３０とは異なるＷＤＭモジュール３０のチャネル波長の範囲内の波長である場合に相当する。ラインカード２０が装着状態のスロット５０には、過去に異なるＷＤＭモジュール３０のチャネルの波長が割り当て済みの場合がある。この場合、管理部１１は、そのスロット５０について、S111で装着されたＷＤＭモジュール３０のチャネル波長の範囲内から選択した波長を割り当てて、波長設定を更新する。管理部１１は、管理情報１４に、スロット番号と波長との関係付け情報を登録更新し、そのラインカード２０のメモリに、ポート２３に新たに割り当てる波長の情報を上書きで書き込む。
【０１４３】
（S117）  管理部１１は、S113またはS115またはS116の後、そのスロット５０のラインカード２０のポート２３における設定済みの波長を用いた送受信機能を有効の状態にする。
【０１４４】
（S118）  その後、管理部１１は、スロット５０からＷＤＭモジュール３０が抜かれて非装着状態になった場合には、そのことを検知する。管理部１１は、ＷＤＭモジュール３０が非装着状態になった時点で、ラインカード２０が装着状態のスロット５０のスロット番号等を把握する。
【０１４５】
（S119）  管理部１１は、そのスロット５０について、波長設定をそのまま維持する。即ち、管理情報１４におけるスロット番号と波長との関係付け情報がそのまま維持される。その後、再度、ＷＤＭモジュール３０がスロット５０に装着された場合には、S111からの処理が同様に行われる。
【０１４６】
第１の解除方式では、スロット５０及びラインカード２０に一旦波長が設定されると、スロット５０の単位でその波長設定が維持され、ラインカード２０内には波長情報が残る。よって、第１の解除方式では、モジュールの挿抜毎に再設定する必要が無く、作業の手間が少なく、簡便な構築及び運用を実現できる。
【０１４７】
なお、管理者は、管理端末２から通信装置１の管理モジュール１０にアクセスし、管理情報１４の設定状態情報１５を参照し、波長設定状態を確認することができる。また、管理者は、設定状態情報１５を参照し、波長設定状態を任意に変更することもできる。管理者は、設定済みのスロット番号と波長との関係付け情報を削除することにより、波長設定を解除することもできる。
【０１４８】
［効果等］
以上説明したように、実施の形態１によれば、ＷＤＭを行う通信装置１の設定に関して、モジュールの波長の設定を含む作業の手間を軽減でき、設定ミスを低減または防止することができる。実施の形態１によれば、スロット５０にモジュールとしてラインカード２０またはＷＤＭモジュール３０が装着された契機で、自動的にチャネル波長を設定することができる。よって、従来の設定作業に比べ、設定作業の手間を大幅に軽減できる。ユーザがラインカード２０に波長を設定する作業が不要であるため、必然的に設定ミスが防止できる。
【０１４９】
［第２の解除方式（第１の状況の場合）］
実施の形態１の変形例として、第２の解除方式を採用する場合には以下である。管理部１１は、ラインカード２０が抜かれて非装着状態になったスロット５０及びそのラインカード２０のポート２３に設定されている波長について、波長設定を解除する。管理部１１は、非装着状態のスロット５０及びラインカード２０に関して、その波長を解放し、他の割り当てに使用可能な状態に戻し、使用可能な波長のリソースをなるべく増やすように制御する。
【０１５０】
図１０の（Ａ）は、第２の解除方式における第１の状況の場合の処理フローを示す。この処理フローは、前提である波長設定のステップを含め、図１０の（Ａ）及び以下に示すステップS201〜S205を有する。以下、ステップの順に説明する。
【０１５１】
（S201）  管理部１１は、ＷＤＭモジュール３０の装着済みの状態で、スロット５０にラインカード２０が装着されたことを検知する。
【０１５２】
（S202）  管理部１１は、S201のラインカード２０が装着されたスロット５０に、既に波長が割り当てられているかどうかに依らずに、そのスロット５０に、新たに波長の割り当てを行う。管理部１１は、そのスロット５０を対象として、前述の第１の設定方式等と同様に、装着状態のＷＤＭモジュール３０の使用可能なチャネルの範囲内で、波長を割り当てる。管理部１１は、管理情報１４に、スロット番号と波長との関係付け情報を登録し、そのスロット５０のラインカード２０のメモリに、ポート２３の波長情報を上書きで書き込む。
【０１５３】
（S203）  管理部１１は、そのスロット５０のラインカード２０の波長が設定されたポート２３における送受信機能を有効の状態にする。
【０１５４】
（S204）  その後、管理部１１は、スロット５０からラインカード２０が抜かれて非装着状態になった場合には、そのことを検知する。
【０１５５】
（S205）  管理部１１は、S204の非装着状態になったスロット５０及びそのラインカード２０について、波長設定を解除する。管理部１１は、管理情報１４の設定状態情報１５における、そのスロット番号と波長との関係付け情報を削除する。抜かれたラインカード２０のポート２３には波長情報が書き込まれたままとなる。その後、そのラインカード２０が、再度、スロット５０に装着された場合には、S201からの処理が同様に行われ、S202で新たに波長が設定されることになる。
【０１５６】
［第２の解除方式（第２の状況の場合）］
図１０の（Ｂ）は、第２の解除方式における、第２の状況の場合の処理フローを示す。この処理フローは、前提である波長設定のステップを含め、図１０の（Ｂ）及び以下に示すステップS211〜S215を有する。以下、ステップの順に説明する。
【０１５７】
（S211）  管理部１１は、ラインカード２０が装着済みの状態で、スロット５０にＷＤＭモジュール３０が装着されたことを検知する。管理部１１は、ＷＤＭモジュール３０が装着された時点でラインカード２０が装着状態であるスロット５０のスロット番号等を把握する。
【０１５８】
（S212）  管理部１１は、S211のラインカード２０が装着状態の１つ以上のスロット５０について、既に波長が割り当てられているかどうかに依らずに、そのスロット５０に、新たに波長の割り当てを行う。管理部１１は、そのスロット５０を対象として、前述の第１の設定方式等と同様に、装着されたＷＤＭモジュール３０の使用可能なチャネルの範囲内で、波長を割り当てる。管理部１１は、管理情報１４に、スロット番号と波長との関係付け情報を登録し、そのスロット５０のラインカード２０のメモリに、ポート２３の波長情報を上書きで書き込む。
【０１５９】
（S213）  管理部１１は、そのスロット５０のラインカード２０の波長が設定されたポート２３における送受信機能を有効の状態にする。
【０１６０】
（S214）  その後、管理部１１は、スロット５０からＷＤＭモジュール３０が抜かれて非装着状態になった場合には、そのことを検知する。管理部１１は、ＷＤＭモジュール３０が非装着状態になった時点でラインカード２０が装着状態であるスロット５０のスロット番号等を把握する。
【０１６１】
（S215）  管理部１１は、S214のラインカード２０が装着状態のスロット５０について、波長設定を解除する。即ち、管理部１１は、管理情報１４の設定状態情報１５におけるスロット番号と波長との関係付け情報を削除する。これにより、その波長は、以降の波長割り当ての際に使用可能な波長になる。その後、再度、ＷＤＭモジュール３０がスロット５０に装着された場合には、S211からの処理が同様に行われ、S212で新たに波長が設定されることになる。
【０１６２】
第２の解除方式では、設定解除された波長が、他のモジュールのために使用可能なチャネル波長の状態に戻るので、割り当て候補のチャネル波長の数が多い状態にできる。即ち、第２の解除方式では、利点として、波長リソースをより有効に利用できる場合がある。
【０１６３】
（実施の形態２）
図１１を用いて、本発明の実施の形態２の通信装置及び通信装置設定方法について説明する。実施の形態２の通信装置設定方法は、実施の形態２の通信装置で実行されるステップを有する方法である。以下、実施の形態２の構成における、実施の形態１の構成とは異なる部分について説明する。
【０１６４】
実施の形態２の通信装置１の基本的な構成は、実施の形態１の構成と同様であり、追加される機能を有する。この機能として、通信装置１のチャネル波長を含む設定状態を外部に出力する機能を有する。この機能を、説明上、設定状態出力機能とする。この機能は、ラインカード２０とＷＤＭモジュール３０との接続におけるチャネル波長の設定状態を含む、ＯＡＭに係わる情報を出力する機能である。この機能により、通信装置１の設定作業を支援できる。作業者や、管理端末２を操作する管理者は、作業の際、この機能を用いて、通信装置１のチャネル波長を含む設定状態を確認することができる。
【０１６５】
［設定状態出力機能］
図１１は、実施の形態２における、設定状態出力機能を持つ通信装置１の構成を示す。管理モジュール１０の管理部１１は、通信装置１の状態を管理情報１４に管理している。管理情報１４には、設定状態情報１５として、現在のスロット５０の使用状況に対応した、ラインカード２０とＷＤＭモジュール３０とのチャネル波長の設定状態を表す情報を含んでいる。管理部１１は、前述の機能に加え、設定状態出力機能の実装を有する。
【０１６６】
管理部１１は、外部からの指示等に応じて、設定状態情報１５を外部へ出力する。この出力方式は、各種が可能であり、例えば図１１及び以下に示す（Ａ）〜（Ｄ）が挙げられる。実施の形態２の通信装置１は、（Ａ）〜（Ｄ）の出力方式の実装を有する。
【０１６７】
（Ａ）  管理モジュール１０に表示器１６を備える。表示器１６は液晶表示装置やＬＥＤ表示装置等が挙げられる。管理部１１は、表示器１６に、設定状態を含む情報を表示する機能を有する。例えば、作業者は、管理モジュール１０を操作し、設定状態確認のための指示をボタン等によって入力する。管理部１１は、入力された指示に応じて、記憶部１２の管理情報１４における設定状態情報１５を参照し、その情報を表示器１６に表示する。これにより、作業者は、通信装置１の設定状態として、スロット５０とその波長等を確認することができる。変形例として、指示入力が無くても自動的に設定状態を表示器１６に表示するようにしてもよい。
【０１６８】
（Ｂ）  管理部１１は、管理端末２との通信に応じて、設定状態を含む情報を送信する機能を有する。管理者は、管理端末２から、通信網３を介して、通信装置１の管理モジュール１０にアクセスし、設定状態確認のための要求を送信する。管理部１１は、通信部１３を通じて、その要求を受信する。管理部１１は、その要求に応じて、記憶部１２の管理情報１４における設定状態情報１５を参照し、その設定状態情報を含む応答を作成し、通信部１３を通じて、管理端末２へ送信する。管理端末２は、その応答を受信し、その設定状態情報を画面に表示する。これにより、管理者は、画面で、通信装置１の設定状態を確認することができる。管理者は、設定状態をみながら、遠隔から現場の作業者と連係して作業を行うことができる。
【０１６９】
また、（Ａ）及び（Ｂ）に関し、管理部１１は、どのスロット５０のラインカード２０のポート２３と、ＷＤＭモジュール３０のどのポート３１との間を配線すればよいかを示す情報を、表示器１６に表示してもよいし、管理端末２に送信してもよい。また、設定状態をユーザに伝える手段は、表示に限らず、音声出力等でもよい。
【０１７０】
（Ｃ）  ラインカード２０に表示器２６を備える。管理部１１は、設定状態情報１５に基づいて、ラインカード２０の表示器２６に、設定状態を含む情報を表示する機能を備える。管理部１１は、その情報を、バックプレーン基板４０を通じて、ラインカード２０へ転送し、表示器２６に表示させる。
【０１７１】
特に、管理部１１は、ラインカード２０の表示器２６に、作業支援情報として、当該ラインカード２０が装着されたスロット５０の波長設定有無状態や、その波長の情報を表示してもよい。
【０１７２】
（Ｄ）  同様に、ＷＤＭモジュール３０に表示器３６を備える。管理部１１は、設定状態情報１５に基づいて、ＷＤＭモジュール３０の表示器３６に、設定状態を含む情報を表示する機能を備える。管理部１１は、その情報を、バックプレーン基板４０を通じて、ＷＤＭモジュール３０へ転送し、表示器３６に表示させる。
【０１７３】
特に、管理部１１は、ＷＤＭモジュール３０の表示器２６に、作業支援情報として、当該ＷＤＭモジュール３０の複数のチャネルの波長の情報や、その使用有無状態等の情報を表示してもよい。
【０１７４】
また、（Ｃ）及び（Ｄ）に関し、管理部１１は、表示器２６あるいは表示器３６に、作業支援情報として、ラインカード２０の波長設定済みのポート２３と、ＷＤＭモジュール３０のチャネルのポート３１との間での配線すべきポート等を示す情報を表示してもよい。例えば、管理部１１は、表示器２６に、接続先のポート３１のポート番号等を表示してもよいし、表示器３６に、接続先のポート２３のポート番号等を表示してもよい。
【０１７５】
また、管理部１１は、設定状態情報や作業支援情報をユーザに伝える手段として、ラインカード２０やＷＤＭモジュール３０に備えるＬＥＤランプ等を用いてもよい。管理部１１またはそれと連携するラインカード２０やＷＤＭモジュール３０は、そのＬＥＤランプの点灯の制御により、情報をユーザに伝える。例えば、ラインカード２０のポート２３毎に備えるＬＥＤランプや、ＷＤＭモジュール３０のポート３１毎に備えるＬＥＤランプを用いてもよい。例えば、ラインカード２０は、波長が設定されたポート２３や配線の対象のポート２３のＬＥＤランプを点灯させてもよい。例えば、ＷＤＭモジュール３０は、波長が使用済みのポート３１や配線の対象のポート３１のＬＥＤランプを点灯させてもよい。また、各モジュールは、ポート間の配線が誤っている場合に、そのポートの赤色のＬＥＤランプを点灯させてもよい。
【０１７６】
通信装置１は、上記（Ａ）〜（Ｄ）の機能における単一の機能を実装してもよいし、複数の機能を併用してもよい。例えば、（Ａ）及び（Ｂ）の機能を用いて、管理者及び作業者の両方に対し設定状態が表示されてもよい。また、（Ｃ）及び（Ｄ）の機能を用いて、作業者に対し、ラインカード２０のポート２３とＷＤＭモジュール３０のポート３１との間の光ケーブルの配線作業のための情報が表示されてもよい。
【０１７７】
外部に出力する設定状態情報は、内容として以下の情報を含んでもよい。この設定状態情報は、通信装置１の全スロット５０の状態の一覧を含んでもよい。この設定状態情報は、スロット番号毎に、波長設定有無、波長、対応するポート３１のポート番号、ラインカード２０の装着有無及びそのラインカードＩＤ、前述のグループや種類の情報、及び光伝送路に接続されるポート番号、等を含んでもよい。
【０１７８】
実施の形態２によれば、設定状態出力機能を用いて、配線作業を含む設定作業を支援でき、配線ミスも含めてミスを防止及び軽減できる。作業者は、スロット５０とラインカード２０との対応関係を細かく気にする必要無く、どのスロット５０を使用してもよい。
【０１７９】
（実施の形態３）
図１２を用いて、本発明の実施の形態３の通信装置及び通信装置設定方法について説明する。実施の形態３の通信装置設定方法は、実施の形態３の通信装置で実行されるステップを有する方法である。以下、実施の形態３の構成における、実施の形態１の構成とは異なる部分について説明する。
【０１８０】
実施の形態３の通信装置１の基本的な構成は、実施の形態１の構成と同様であるが、管理部１１の実装構成が異なる。実施の形態３では、管理部１１は、管理モジュール１０ではなく、ＷＤＭモジュール３０内に実装される。
【０１８１】
図１２は、実施の形態３の通信装置１を含む通信システムの構成を示す。実施の形態３の通信装置１は、ＷＤＭモジュール３０内に、管理部１１Ｂを有する。この管理部１１Ｂの機能は、実施の形態１の管理部１１の機能と概ね同様である。
【０１８２】
管理モジュール１０は、従来のＯＡＭに係わる機能を有する。管理モジュール１０は、バックプレーン基板４０における管理用の通信を通じて、ＷＤＭモジュール３０の管理部１１Ｂと連携する。作業の際、管理者は、管理端末２から、通信網３を通じて、管理モジュール１０にアクセスする。そして、管理モジュール１０は、バックプレーン基板４０を通じて、ＷＤＭモジュール３０の管理部１１Ｂにアクセスする。また、ＷＤＭモジュール３０の管理部１１Ｂと、各スロット５０のラインカード２０との間では、バックプレーン基板４０を通じて、管理用の通信が可能となっている。
【０１８３】
管理部１１Ｂは、実施の形態１と同様に、設定機能として、第１の設定機能及び第２の設定機能を備える。管理部１１Ｂは、ＷＤＭモジュール３０内のメモリに、管理情報１４Ｂを格納し管理する。管理部１１Ｂは、自身のＷＤＭモジュール３０のＷＤＭモジュール情報や、他のモジュールから取得したラインカード情報等を含め、設定を管理するための情報を管理情報１４Ｂに管理する。
【０１８４】
スロット５０にラインカード２０が装着された第１の状況の時には、管理部１１Ｂは、第１の設定機能により、そのラインカード２０が装着されたスロット５０に波長λを割り当て、そのラインカード２０内に波長ｗを設定する。この動作は、主体がＷＤＭモジュール３０内の管理部１１Ｂになるだけで、図３と同様に実現できる。
【０１８５】
スロット５０にＷＤＭモジュール３０が装着された第２の状況の時には、管理部１１Ｂは、第２の設定機能により、ラインカード２０が装着されているスロット５０に波長λを割り当て、そのラインカード２０内に波長ｗを設定する。この動作は、主体がＷＤＭモジュール３０内の管理部１１Ｂになるだけで、図４と同様に実現できる。ただし、Ｓ１２のＷＤＭモジュール３０の装着検知に関しては、管理部１１Ｂにより、自身を含むＷＤＭモジュール３０がスロット５０に装着されたことを検知する。
【０１８６】
実施の形態３では、実施の形態１の解除方式について、基本的に同様に適用可能であるが、一部の機能、即ち第２の解除方式で第２の状況の場合の動作を行う機能については、そのままでは実現できないので、提供しない。第２の解除方式で第２の状況の場合、スロット５０からＷＤＭモジュール３０が抜かれて非装着状態になった場合に、ラインカード２０が装着状態のスロット５０の波長設定を解除する必要がある。この場合、ＷＤＭモジュール３０内の管理部１１Ｂがこの解除を制御することはできない。よって、実施の形態３の管理部１１Ｂは、この機能については提供しない。
【０１８７】
実施の形態３によれば、実施の形態１と同様の効果が得られる。実施の形態１の場合には、ＷＤＭモジュール３０の構成を簡便にでき、実施の形態３の場合には、管理モジュール１０の構成を簡便にできる。
【０１８８】
実施の形態３の変形例として、以下が可能である。実施の形態３の変形例として、通信装置１に、実施の形態２と同様に、設定状態出力機能を備えてもよい。実施の形態３の変形例として、管理モジュール１０を省略した形態としてもよい。実施の形態３の変形例として、管理モジュール１０内の管理部１１とＷＤＭモジュール３０内の管理部１１Ｂとの両方を設け、両者が連係して所定の管理機能を実現する形態でもよい。例えば、第２の解除方式における第２の状況の場合に、管理モジュール１０内の管理部１１が、ＷＤＭモジュール３０の非装着状態を検知し、スロット５０の波長設定を解除してもよい。
【０１８９】
以上、本発明を実施の形態に基づき具体的に説明したが、本発明は前記実施の形態に限定されず、その要旨を逸脱しない範囲で種々変更可能である。
【符号の説明】
【０１９０】
１…通信装置、２…管理端末、３…通信網、４…利用者網、５…光伝送網、１０…管理モジュール、１１…管理部、１２…記憶部、１３…通信部、２０…ラインカード、２１…ポート、２２…通信部、２３…ポート、３０…ＷＤＭモジュール、３１…ポート、３２…合分波部、３３…ポート、４０…バックプレーン基板、５０…スロット、６０…制御部。
【図１】
2017069639.tif 000003
【図２】
2017069639.tif 000004
【図３】
2017069639.tif 000005
【図４】
2017069639.tif 000006
【図５】
2017069639.tif 000007
【図６】
2017069639.tif 000008
【図７】
2017069639.tif 000009
【図８】
2017069639.tif 000010
【図９】
2017069639.tif 000011
【図１０】
2017069639.tif 000012
【図１１】
2017069639.tif 000013
【図１２】
2017069639.tif 000014